(57)【要約】      （修正有）【課題】完全気密のレンズ部を構成する小型・軽量、組立も簡易で堅牢な二眼式水中マスクを提供する。【解決手段】視界を得るための左右のレンズ２ａ，２ｂを保持し、気密を保つためのレンズ保持用溝部３ａを有し、かつ顔面に密着して水の侵入を防ぐスカート部４を備えたゴム製マスク本体５と、前記レンズ保持用溝部の外形周に沿って圧入する内径面を有し、かつ前縁に固定用爪７ａ，７ｂ又は係合部を備えるタガ若しくは固定用爪又は係合部を備えないタガと、該タガに嵌合する嵌合部を備えて嵌合すると共に、前記タガの固定用爪又は係合部若しくはタガの外面と係合する固定用爪又は係合部を備えて係合固定し、前記左右のレンズを所要面上に保持し、頭の大小に合わせて長さを調整するバンドを接続する接続部を左右の両端に備えるフレーム枠とからなる二眼式水中マスク。【選択図】図１
0003145414.tif 000002
【実用新案登録請求の範囲】
【請求項１】
レンズ保持用溝部を備えたゴム製マスク本体と、前記レンズ保持用溝部の外形周に沿って圧入するタガと、該タガを嵌め込み固定するフレーム枠とからなる二眼式水中マスク。
【請求項２】
前記タガの後縁に外止縁が一体に形成され、前記レンズ保持用溝部の背壁外面に連接してなる請求項１の二眼式水中マスク。
【請求項３】
前記タガの外形周の複数個所に固定用爪又は係合部を配備し、前記フレーム枠に係合部又は固定用爪を対応して配備し、タガの固定用爪又は係合部とフレーム枠の係合部又は固定用爪を係合固定してなる請求項１の二眼式水中マスク。
【請求項４】
前記タガには固定用爪又は係合部を設けず、フレーム枠に固定用ネジ部を設け、固定用押止板等により、タガを固定してなる請求項１の二眼式水中マスク。
【考案の詳細な説明】
【技術分野】
【０００１】
潜水に使用するマスクには、「目」だけを覆うゴーグルと、「目、鼻、口」までを覆うフルフエイスマスクと、「目、鼻」を覆うハーフマスクがあり、ハーフマスクは、さらに、レンズ部が左眼、右眼とも共通の一枚でできた一眼式と、左眼用及び右眼用のレンズ部が別々に作られた二眼式があるが、本考案は、ハーフマスクの二眼式に関するものである。（以下、単に水中マスクという。）
【背景技術】
【０００２】
従来、第１に、特許文献１には、平坦な正面板１と、狭い上下面板２，２並びに傾斜状左右側面板３，３を一体に形成した透面枠板４の周縁つば５を柔軟性匡体６の周面溝６に嵌め、その外側を固定枠７により固着し、固定枠７の左右両側面側に前方へテーパーした突片９を隆設するとともに、そのテーパー縁８に係合する掛止片１１によりバンド１０を取付けた水中眼鏡（マスク）が開示・提案されている。
第２に、特許文献２には、レンズ部材と柔軟性パッドと着用バンドとからなる水中眼鏡において、前記レンズ部材の外周に、その周方向に延在する第１係止部と、該第１係止部よりレンズ部材前端側に位置する第２係止部とを設け、環状に形成した前記パッドの周縁部を前記第１係止部に当接して前記レンズ部材の前端から環状枠部材を嵌合し、該枠部材を第２係止部に係合させることにより前記レンズ部材前端方向へ抜脱を抑止するとともに、前記第１係止部との間で前記パッドの周縁部を被覆・挟持し、前記枠部材に前記着用バンドの取付け手段を設けて顔面への装着を可能にしてある水中眼鏡が提案・開示されている
【特許文献１】実公昭６１−３３９６９号公報
【特許文献２】実開昭６２−１１１０５２号公報
【考案の開示】
【考案が解決しようとする課題】
【０００３】
一般に、ハーフマスクの二眼式は一眼式に比較して下記の利点がある。
イ）鼻部をさけた左右別々のレンズを使用するため、レンズと眼球の距離が近くなり、大きな視界が得られる。
ロ）マスク内の空気量（マスク内容積）が小さいため、スクイズを防ぎ易い。
ハ）マスク内に侵入した水の排水（マスク・クリマー）をし易い。
ニ）小鼻部を外部からつまむことができるため、「耳抜き」が非常にし易い。
次に下記の欠点がある。
イ）二分割された左右別々のレンズを完全に一平面に保持し、かつ左右のレンズとゴム体との気密性を保持することが困難である。（特許文献２）
ロ）フレーム枠は、形状やデザインの制約上プラスチックで作られており、特に中央部は鼻をさけた構造となるため、ゴム体とレンズとフレーム枠に歪みが生じてこの部分の水漏れが多い。
ハ）潜水中にレンズの逸脱がないよう確実に保持するためには、フレーム枠の断面を溝形にする必要がある。
ニ）前記フレーム枠の断面を溝形にするため、従来例の図１４に示すように、フレーム枠１６を上下二分割し、上フレーム枠１６ａと下フレーム枠１６ｂとし、上フレーム枠１６ａの対向面を溝形１７ａ、１７ｂに、また、下フレーム枠１６ｂの対向面を溝形１８ａ、１８ｂに形成し、特許文献１においても同様の溝形に形成している。
ホ）前記従来例の二分割された上フレーム枠１６ａと下フレーム枠１６ｂは、中央部１６ａ１、１６ｂ１及び両端１６ａ２、１６ｂ２及び１６ａ３、１６ｂ３をねじ等で固定し、特許文献１では両端を掛止片で係合固定している。しかし、対向方向からの締付けであるためフレーム枠とゴム体との摩擦により引き吊れを生じ易く、水漏れの原因となるものであった。
【０００４】
本考案は、前述の欠点を解消することを目的になされたものである。
【課題を解決するための手段】
【０００５】
レンズ保持用溝部を備えたゴム製マスク本体（以下、単に「マスク本体」と言う。）と、前記レンズ保持用溝部の外形周に沿って圧入するタガと、該タガを嵌め込み固定するフレーム枠とからなる水中マスクにある。
【０００６】
前記タガの後縁に外止縁が一体に形成され、前記レンズ保持用溝部の背壁外面に連接してなるものである。
【０００７】
前記タガの外形周の複数個所に固定用爪又は係合部を配備し、前記フレーム枠に係合部又は固定用爪を対応して配備し、タガの固定用爪又は係合部とフレーム枠の係合部又は固定用爪を係合固定してなるものである。
【０００８】
前記フレーム枠にネジ部を設け、固定用押止板とネジによりタガを固定してなるものである。
【考案の効果】
【０００９】
本考案の水中マスクは、前述のように、マスク本体のレンズ保持用溝部に左右のレンズを組み込んだ後、レンズ保持用溝部の外形周に合った内形周を持つタガを嵌め込むためゴムの弾性によりレンズ保持用溝部の外周形は圧縮されてタガの内形周と完全に密着した状態となり、マスクの最も重要な機能であるレンズ部の気密を完全に保持することができる。前記タガは、屈折等の応力を受けることなく引張力を受けるだけとなるため、小型・軽量となり、プラスチック等で製作が可能となる。
【００１０】
以上の効果により、フレーム枠は、レンズ面を水平面に保持することと、バンドの取り付けのみを考慮すればよく、現行品のように上下に二分割する必要はなく、一体式として製作できるため、強度も益し、フレーム組立用のネジ等も不要となる。
即ち、タガにより予め左右のレンズと密着されたマスク本体をフレーム枠の所定位置に組み込むだけで組立が完了するものである。
また、マスク本体において、レンズ保持用溝部に対してレンズの着脱が容易であるから、近・遠視潜水者のためにレンズを度付きレンズに容易に交換することができる。
【考案を実施するための最良の形態】
【００１１】
視界を得るための左右のレンズを保持し、気密を保つためのレンズ保持用溝部を有し、かつ顔面に密着して水の侵入を防ぐスカート部を備えたマスク本体と、前記レンズ保持用溝部の外形周に沿って圧入する内径面を有し、かつ前縁に固定用爪又は係合部を備えるタガと、嵌合部を備えて前記タガを嵌合すると共に前記タガと係合する係合部又は固定用爪を備えて係合固定し、前記左右のレンズを所要面上に保持し、頭の大小に合わせて長さを調整するバンドを接続する接続部を左右の両端に備えるフレーム枠とからなる水中マスク。
【実施例】
【００１２】
以下、本考案の水中マスク１を図面により説明すると、本考案の実施例の水中マスク１は、視界を得るための左右のレンズ２ａ、２ｂと、該レンズ２ａ、２ｂをそれぞれ保持し、気密を保つためのレンズ保持用溝部３ａ、３ｂを有し、かつ顔面に密着して水の侵入を防ぐスカート部４を備えたマスク本体５と、該マスク本体５の前記レンズ保持用溝部３ａ、３ｂの外形周３ａ１、３ｂ１に沿って圧入する内形周６ａ１、６ｂ１を有し、後縁に前記レンズ保持用溝部３ａ、３ｂの背壁外面３ａ２、３ｂ２に当接して前方への外れ止めとなる外止縁６ａ２、６ｂ２を具え、かつ、前縁に固定用爪７ａ、７ｂを具える硬質合成樹脂成形体のタガ６ａ、６ｂと、該タガ６ａ、６ｂに嵌合する嵌合部８ａ、８ｂを内面に具えて嵌合すると共に、前記タガ６ａ、６ｂの固定用爪７ａ、７ｂと係合する係合部９ａ、９ｂを備えて係合固定して前記左右のレンズ２ａ、２ｂを同一面上に保持し、頭の大小に合わせて長さを調整するバンド（図示せず）を接続する接続部１０ａ、１０ｂを左右の両端に備える硬質合成樹脂成形体のフレーム枠８から構成している。
【００１３】
前記マスク本体５のレンズ保持用溝部３ａ、３ｂに左右のレンズ２ａ、２ｂを組み込んだ後、レンズ保持用溝部３ａ、３ｂの外形周３ａ１、３ｂ１に、タガ６ａ、６ｂに圧力を掛けて嵌め込み、ゴムの弾性によりタガ６ａ、６ｂの内形周６ａ１、６ｂ１とレンズ保持用溝部３ａ、３ｂの外形周３ａ１、３ｂ１は完全に密着した状態となる。
【００１４】
前記レンズ保持用溝部３ａ、３ｂは、断面がコ字形に形成し、その内径面にレンズを嵌入する溝を環状に開口すると共に背壁外面３ａ２、３ｂ２の内径縁を背面側に延設し、該背面延設部３ａ２１、３ｂ２１をスカート部４に一体に接続し、背壁外面３ａ２、３ｂ２を前記外止縁６ａ２、６ｂ２の当面に構成している。
【００１５】
前記ゴム体レンズ保持用溝部３ａ、３ｂ、背面延設部３ａ２１、３ｂ２１及びゴム体スカート部４におけるゴムとは、天然ゴム及び合成ゴムを含むものである。
【００１６】
前記タガ６ａ、６ｂの前縁の固定用爪７ａ、７ｂは、複数個所に形成している。
【００１７】
前記フレーム枠８の嵌合部８ａ、８ｂは、前記タガ６ａ、６ｂの外形周６ａ３、６ｂ３に連接する周壁部８ａ１、８ｂ１と前記タガ６ａ、６ｂの前縁と当接する前壁部８ａ２、８ｂ２から構成している。
【００１８】
前記フレーム枠８の係合部９ａ、９ｂは、前記タガ６ａ、６ｂの固定用爪７ａ、７ｂを挿通する係合孔９ａ１、９ａ１、９ｂ１、９ｂ１と、固定用爪７ａ、７ｂと係合する係止面９ａ２、９ａ２、９ｂ２、９ｂ２とから構成している。
【００１９】
前記タガ６ａ、６ｂの外止縁６ａ２、６ｂ２の内径面１２ａ、１２ｂは、背面延設部３ａ２１、３ｂ２１に嵌合する。
【００２０】
前記フレーム枠８の前壁部８ａ２、８ｂ２の内径面１３ａ、１３ｂは、視野を得る開孔径に構成する。
【００２１】
前記タガ６ａ、６ｂは、他の実施例として、図１１に示すように、内形周６ｃ１、外止縁６ｃ２、外形周６ｃ３及び内径面１２ｃを備え、前縁の固定用爪７ａ、７ｂを設けない形状の他の実施例のタガ６ｃ（以下、単に「タガ６ｃ」と言う。）に形成し、また、図１２に示すように、係合部９ａ、９ｂを設けない他の実施例のフレーム枠８０（以下、単に「フレーム枠８０」と言う。）として嵌合部８ａ、８ｂを構成する周壁部８ａ１、８ｂ１の後縁に固定用ネジ部１１ａ、１１ｂを、所要の間隔で複数個所に設け、タガ６ｃをフレーム枠８０の嵌合部８ａ、８ｂに嵌め込んだとき、固定用ネジ１４を固定用ネジ部１１ａ、１１ｂに螺合し、固定用押止板１５をタガ６ｃの背面に係合してフレーム枠８０と一体に固定する構成にしてもよいものである。
【００２２】
前記左右のレンズ２ａ、２ｂ、タガ６ａ、６ｂは、同一形で構成している。そのため、関連するレンズ保持用溝部３ａ、３ｂ、フレーム枠８の嵌合部８ａ、８ｂの形状についても同一形で構成している。
【００２３】
タガ６ａ、６ｂの固定用爪７ａ、７ｂ又は係合部及びフレーム枠８の係合部９ａ、９ｂ又は固定用爪若しくはフレーム枠８０の固定用ネジ部１１ａ、１１ｂの設置個所は、レンズの大きさ、形状、デザイン等によって決める。そして何れの場合もタガ６ａ、６ｂとフレーム枠８で互いに係合する固定用爪と係合部の開放又はタガ６ｃとフレーム枠８０の固定用ネジ部１１ａ、１１ｂの固定用押止板１５を外すことによる開放で両者を分離でき、マスク本体５から度付きレンズの交換が簡単にできるものである。
【産業上の利用可能性】
【００２４】
本考案の水中マスクは、最小限の構成で完全気密のレンズ部を構成することができ、タガは引張力を受けるだけとなるため、小型・軽量となり、プラスチック等で製作が可能、組立も簡易でコストの低減、堅牢な製品の提供ができる。
【図面の簡単な説明】
【００２５】
【図１】本考案の水中マスクの実施例を示す正面図である。
【図２】同じく、背面図である。
【図３】図１のＡ−Ａ線に沿う断面図である。
【図４】本考案の水中マスクを構成するマスク本体単体の正面図である。
【図５】同じく、図４のＢ−Ｂ線に沿う断面図である。
【図６】タガ単体の第１実施例を示す正面図である。
【図７】同じく、図６のＣ−Ｃ線に沿うタガ単体の第１実施例を示す断面図である。
【図８】同じく、図６のＤ−Ｄ線に沿うタガ単体の第１実施例を示す断面図である。
【図９】フレーム枠体単体の第１実施例を示す正面図である。
【図１０】同じく、フレーム枠体単体の第１実施例を示す背面図である。
【図１１】タガ単体の他の実施例を示す正面図である。
【図１２】フレーム枠単体の他の実施例を示す正面図である。
【図１３】マスク本体に他の実施例のタガの圧嵌した後、他の実施例のフレーム枠を嵌めた係合状態を示す図１２のＥ−Ｅ線に沿う部分断面図である。
【図１４】従来の二分割型フレーム枠を分割状態で示す正面図である。
【符号の説明】
【００２６】
１  実施例の水中マスク
２ａ  レンズ
２ｂ  レンズ
３ａ  レンズ保持用溝部
３ａ１  外形周
３ａ２  背壁外面
３ａ２１  背面延設部
３ｂ  レンズ保持用溝部
３ｂ１  外形周
３ｂ２  背壁外面
３ｂ２１  背面延設部
４  スカート部
５  マスク本体
６ａ  タガ
６ａ１  内形周
６ａ２  外止縁
６ａ３  外形周
６ｂ  タガ
６ｂ１  内形周
６ｂ２  外止縁
６ｂ３  外形周
６ｃ  他の実施例のタガ
６ｃ１  内形周
６ｃ２  外止縁
６ｃ３  外形周
７ａ  固定用爪
７ｂ  固定用爪
８  フレーム枠
８ａ  嵌合部
８ａ１  周壁部
８ａ２  前壁部
８ａ３  内径面
８ｂ  嵌合部
８ｂ１  周壁部
８ｂ２  前壁部
８ｂ３  内径面
８０  他の実施例のフレーム枠
９ａ  係合部
９ａ１  係合孔
９ａ２  係止面
９ｂ  係合部
９ｂ１  係合孔
９ｂ２  係止面
１０ａ  接続部
１０ｂ  接続部
１１ａ  固定用ネジ部
１１ｂ  固定用ネジ部
１２ａ  内径面
１２ｂ  内径面
１２ｃ  内径面
１３ａ  内径面
１３ｂ  内径面
１４  固定用ネジ
１５  固定用押止板
【図１】
0003145414.tif 000003
【図２】
0003145414.tif 000004
【図３】
0003145414.tif 000005
【図４】
0003145414.tif 000006
【図５】
0003145414.tif 000007
【図６】
0003145414.tif 000008
【図７】
0003145414.tif 000009
【図８】
0003145414.tif 000010
【図９】
0003145414.tif 000011
【図１０】
0003145414.tif 000012
【図１１】
0003145414.tif 000013
【図１２】
0003145414.tif 000014
【図１３】
0003145414.tif 000015
【図１４】
0003145414.tif 000016